(57)【要約】固定要素と調節可能要素と第１ロック装置を有し、調節可能要素は固定要素に対して中心軸周りに回転可能に装着され且つ第１ロック装置により固定要素に対してロックでき、安全装置として第２ロック装置を含み、第２ロック装置は中心軸周りに回転可能に配置したアダプタープレートと固定要素に回転不能に配置したロック要素を含み、ロック位置では中心軸に平行な軸に沿うロック要素の係合解除動作がアダプタープレートにより防止され、調節可能要素はアダプタープレートにより駆動可能であり、アダプタープレートと調節可能要素はロック位置から非ロック位置への移行の間にアダプタープレートがロック要素の係合解除動作の経路を解放し且つ調節可能要素の回転が係合解除動作を引き起こすように調節可能要素を駆動できるように構成され、調節可能要素は係合解除動作がロック要素のために解放される前に固定要素に対して回転できるアジャスター装置を提案する。
2016530459.tif 000002
【特許請求の範囲】
【請求項１】
固定要素（２０）と調節可能要素（１０）と第１ロック装置とを有するアジャスター装置（１）であって、
前記調節可能要素（１０）は前記固定要素（２０）に対して中心軸（２）の周りに回転可能に取り付けられ、前記調節可能要素（１０）は前記第１ロック装置によって前記固定要素（２０）に対してロック可能であり、
前記アジャスター装置（１）は外れ防止用の第２ロック装置を有し、
前記第２ロック装置はアダプタープレート（１１）とブロック要素（２１）とを含み、
前記ブロック要素（２１）は前記固定要素（２０）に回転不能に配置され、前記アダプタープレート（１１）は前記中心軸（２）の周りに回転可能に配置され、
ブロック状態では、前記中心軸（２）に対して平行に延びる軸に沿った前記回転不能なブロック要素（１１）の係合解除動作が前記アダプタープレート（１１）によって防止され、
前記調節可能要素（１０）は前記アダプタープレート（１１）によって駆動可能であり、
前記アダプタープレート（１１）と前記調節可能要素（１０）は、ブロック状態から非ブロック状態への移行の間に、前記アダプタープレート（１１）が前記ブロック要素（２１）のための係合解除動作の経路を解放し且つ前記調節可能要素（１０）の回転が係合解除動作をもたらすように前記調節可能要素（１０）が駆動可能であるように構成され、
前記調節可能要素（１０）は前記係合解除動作が前記ブロック要素（２１）のために解放される前に、前記固定要素（２０）に対して回転可能であることを特徴とする、アジャスター装置（１）。
【請求項２】
前記アダプタープレート（１１）はブロックボルト（１６）を含み、前記ブロック要素（２１）は突起（２４）を含み、ブロック状態では、ブロックボルト（１６）と突起（２４）は前記中心軸（２）に対して平行に延びる方向に沿って互いに上下に配置され、前記ブロック状態から前記非ブロック状態への移行の間、前記中心軸（２）に対して平行に延びる方向に沿って互いに対してずらして配置される、請求項１に記載のアジャスター装置（１）。
【請求項３】
前記アダプタープレート（１１）は前記突起（２４）を備えたアダプタープレートウェブ（１２）を有し、前記アダプタープレート（１１）と前記アダプタープレートウェブ（１２）は、前記アダプタープレート（１１）を作動させると、前記アダプタープレートウェブ（１２）が前記アダプタープレート（１１）に対して遅れて移動させられるように構成されている、請求項１又は２に記載のアジャスター装置（１）。
【請求項４】
前記調節可能要素（１０）は歯付き構造体（１３）を有し、前記ブロック状態では、前記歯付き構造体（１３）は、前記中心軸（２）の周りの前記調節可能要素（１０）の回転が制限されるように、前記中心軸（２１）に対して垂直な方向において前記ブロック要素（２１）と形状嵌めによって相互作用し、前記ブロック状態から前記非ブロック状態への移行の間に、前記歯付き構造体（１３）の回転が前記係合解除動作をもたらす、請求項１から３のいずれか１項に記載のアジャスター装置（１）。
【請求項５】
前記アダプタープレート（１１）は、前記ブロック状態及び前記非ブロック状態では１次位置を取り、前記ブロック状態から前記非ブロック状態への移行の間は２次位置を取る、請求項１から４のいずれか１項に記載のアジャスター装置（１）。
【請求項６】
前記アジャスター装置（１）は渦巻ばね（２５）を含み、前記アダプタープレート（１１）は前記渦巻ばねの復帰力によって前記２次位置の１つから前記１次位置に移動可能である、請求項１から５のいずれか１項に記載のアジャスター装置（１）。
【請求項７】
前記アダプタープレート（１１）と前記ブロック要素（２１）は、前記係合解除動作が終了した後、前記ブロック要素（２１）が係合動作を行うことが防止されるように設計されている、請求項１から６のいずれか１項に記載のアジャスター装置（１）。
【請求項８】
前記ブロック要素（２１）はブロックばね要素（２２）を含み、前記ブロック状態では、前記ブロックばね要素（２２）は前記アダプタープレート（１１）と、特に前記アダプタープレート（１１）のブロックボルト（１６）と、前記中心軸（２）に対して平行に延びる方向に沿って形状嵌めによって相互作用し、非ブロック状態では、前記アダプタープレート（１１）の前記１次位置が取られると、係合動作が防止されるように前記アダプタープレート（１１）と圧力嵌めによって相互作用する、請求項１から７のいずれかに記載のアジャスター装置（１）。
【請求項９】
前記アダプタープレート（１１）は前記ブロックばね要素（２２）を含み、前記ブロック状態では、前記ブロックばね要素（２２）は前記ブロック要素（２１）と前記中心軸（２）に対して平行に延びる方向に沿って形状嵌めによって相互作用し、非ブロック状態では、前記アダプタープレート（１１）の前記１次位置が取られると、係合動作が防止されるように前記ブロック要素（２１）と圧力嵌めによって相互作用する、請求項１から７のいずれか１項に記載のアジャスター装置（１）。
【請求項１０】
前記ブロックばね要素（２２）は、板ばね、脚ばね、及び／又は引張ばね、又は圧縮ばねである、請求項１から９のいずれか１項に記載のアジャスター装置（１）。
【請求項１１】
レバー又は他の作動手段を作動させると前記アダプタープレート（１１）が回転させられるように、前記作動レバー又は作動手段が前記アダプタープレート（１１）に動作可能に接続されている、請求項１から１０のいずれか１項に記載のアジャスター装置（１）。
【発明の詳細な説明】
【技術分野】
【０００１】
本発明は、自動車部品を調節するためのアジャスター装置に基づく。
【背景技術】
【０００２】
このようなアジャスター装置はいずれの場合も、アジャスター装置がブレーキリングと制動要素との間の摩擦接続のためにブロックされることを確実にする、ロック装置を有する。ブロックは、ユーザーによって調節動作が開始されたときにのみ解除される。振動がある場合、摩擦接続にもかかわらず自動車部品の意図しない調節が起こる危険性がある。
【発明の概要】
【発明が解決しようとする課題】
【０００３】
本発明の目的は、固定要素と調節可能要素と第１ロック装置とを有するアジャスター装置であって、調節可能要素が固定要素に対して外れるのを防ぐ手段を更に有するアジャスター装置を提供することである。目的を達成するために、ユーザーが調節可能要素を調節するためにアジャスター装置を作動させるとすぐに調節可能要素を直接調節することができるような手段を提供することが意図される。
【課題を解決するための手段】
【０００４】
目的は、固定要素と調節可能要素と第１ロック装置とを有するアジャスター装置であって、調節可能要素は固定要素に対して中心軸の周りに回転可能に取り付けられ、調節可能要素は第１ロック装置によって固定要素に対してロック可能であり、アジャスター装置は外れ防止用の第２ロック装置を有し、第２ロック装置はアダプタープレートとブロック要素とを含み、ブロック要素は固定要素に回転不能に配置され、アダプタープレートは中心軸の周りに回転可能に配置され、ブロック状態では、中心軸に対して平行に延びる軸に沿ったブロック要素の係合解除動作がアダプタープレートにより形状嵌めによって防止され、アダプタープレートと調節可能要素は、ブロック状態から非ブロック状態への移行の間に、アダプタープレートが（回転運動によって）ブロック要素の係合解除動作のための経路を解放する（すなわち、もはやブロック要素とアダプタープレートが中心軸に対して平行に延びる方向に形状嵌めによって相互作用することができない）ように構成され、調節可能要素の回転が係合解除動作をもたらすように調節可能要素が駆動可能であるアジャスター装置によって達成される。詳細には、調節可能要素は、ブロックばね要素の係合解除動作が解除される前に固定要素に対して回転可能であることが定められる。
【０００５】
本発明に係るアジャスター装置は、調節可能要素が、ブロック状態から非ブロック状態への移行の間、既に調節可能であり、すなわち、アイドリング動作又は前進運動に関連し且つ調節可能要素の調節動作に先立つ動作を最初に行う必要がないという、従来技術を超える利点を有する。従って、有利には、調節可能要素を直接作動させることができる。更なる利点は、場合によっては、調節可能要素の調節動作の時間的に遅れた開始を実現する付加的な機械的結合を省くことができるということである。付加的な機械的結合（例えば、ピン又は類似の構造）のために発生する追加費用に加えて、このような機械的結合の場合、前記結合が一定のアイドリング距離後に調節可能要素を運び去ることが意図されているならば、傾斜又は破断のリスクが常にある。このリスクは、特にアジャスター装置を長期間にわたって繰り返し作動させる場合に存在する。
【０００６】
アジャスター装置は、通常は自動車部品の一部であり、第１ロック装置の場合には、好ましくは摩擦ブレーキである。また、アダプタープレートは、通常は、例えばレバーアームなどの作動手段に接続されている。
【０００７】
更に好ましい実施形態では、調節可能要素は、アダプタープレートによって駆動可能であることが定められる。結果として、有利には、アダプタープレートの回転運動は、調節可能部品の回転運動と同期される。詳細には、本実施形態では、調節可能要素はアダプタープレートを作動させるとすぐに調節可能であることが保証される。
【０００８】
更なる実施形態では、アダプタープレートはブロックボルトを含み、ブロック要素は突起を含み、ブロック状態では、ブロックボルトと突起は中心軸に対して平行に延びる方向に沿って互いに上下に配置され、ブロック状態から非ブロック状態への移行の間は、中心軸に対して平行に延びる方向に沿って互いに対してずらして配置されることが定められる。結果として、有利には、係合解除動作のための経路が、ブロック状態において、ブロック要素のために、特にその突起のために解放されるのを防ぐ、ブロックボルト及び突起を備えた構成を実現することが可能である。詳細には、ブロック状態では、アダプタープレートは、係合解除動作を行うことができないか又は係合解除動作を抑制するようにブロック要素と形状嵌めによって直接的又は間接的に相互作用することが定められる。有利には、突起とアダプタープレートを柔軟に構成し、アジャスター装置の様々な構造仕様に適合させることができる。
【０００９】
好ましい実施形態では、アダプタープレートはブロックボルトを備えたアダプタープレートウェブを有し、アダプタープレートとアダプタープレートウェブは、アダプタープレートを作動させると、アダプタープレートウェブがアダプタープレートに対して時間的に遅れて移動させられるように構成されることが定められる。これは、例えば、ピンがアダプタープレートに配置され且つスロットがアダプタープレートウェブに配置される、スロット及びピン構造によって実現することができ、結果として、アダプタープレートは、アイドリング距離の後でのみ、すなわち時間遅れで、アダプタープレートウェブを運び去る。結果として、アダプタープレートウェブ上のブロックボルトもまた、時間遅れでのみブロック要素の係合解除動作のための経路を解放する。これにより、有利には、ブロック要素の係合解除動作のための経路が解放される前に調節可能要素が回転可能であるアジャスター装置が実現する。アダプタープレートとアダプタープレートウェブは中心軸の周りに回転可能に取り付けられた２つの個別の部品であることも考えられ、アダプタープレートとアダプタープレートウェブはアダプタープレートがアイドリング距離の後にアダプタープレートウェブを運び去るように構成され、結果として、アダプタープレートウェブ上のブロックボルトが時間遅れを持ってのみブロック要素の係合解除動作の経路を解放する。
【００１０】
更なる実施形態では、調節可能要素は歯付き構造体を有し、ブロック状態では、歯付き構造体は、中心軸の周りの調節可能要素の回転が制限されるように、中心軸に対して垂直に延びる方向においてブロック要素と形状嵌めによって相互作用することが定められる。また、ブロック状態から非ブロック状態への移行の間に、歯付き構造体の回転は係合解除動作をもたらすか又は引き起こすことが定められる。結果として、有利には、調節可能部品の回転運動は、係合解除動作がまだ終了していない場合でも、既に始めることができる。詳細には、歯は傾斜面を有し、傾斜面は、ブロック状態から非ブロック状態への移行の間、突起のための傾斜路として機能し、歯付き構造体が回転すると、傾斜路に沿って突起が移動させられることが定められる。すなわち、調節可能要素の回転の間、係合解除動作は、傾斜路と歯付き構造体の相互作用によってもたらされることが定められる。言い換えれば、ロック解除は、係合解除動作がアダプタープレート、特にそのブロックボルトによって防止されていない場合、傾斜路のアウトプット側によって行われる。
【００１１】
更なる実施形態では、アダプタープレートは、ブロック状態及び非ブロック状態では１次位置を取り、ブロック状態から非ブロック状態への移行の間は２次位置を取ることが定められる。従って、有利には、ブロック状態から非ブロック状態への又は非ブロック状態からブロック状態への移行がいつ行われるかはアダプタープレートの位置によって決めることができる。
【００１２】
更なる実施形態では、アジャスター装置は渦巻ばねを含み、アダプタープレートは渦巻ばねの復帰力によって２次位置の１つから１次位置に移動可能であることが定められる。結果として、有利には、アダプタープレートを１次位置に手で戻す必要がない。
【００１３】
更なる実施形態では、アダプタープレートとブロック要素は、係合解除動作が終了した後、ブロック要素が係合動作を行うことが防止されるように設計されることが定められる。それによって、有利には、ブロック要素がブロック状態で取る位置に意図せず再び戻ることを防止することができる。
【００１４】
更なる実施形態では、ブロック要素はブロックばね要素を含み、ブロックばね要素は、ブロック状態では、アダプタープレートと、特にアダプタープレートのブロックボルトと、中心軸に対して平行に延びる方向に沿って形状嵌めによって相互作用し、非ブロック状態では、係合動作がブロックされるようにアダプタープレートと圧力嵌めによって相互作用することが定められる。有利には、このようにして、追加の手段又は装置なしで、ブロック要素がブロック状態で取る位置に意図せず再び戻ることが防止される。ブロックばねは係合動作を強制的に防止されないことも考えられる。
【００１５】
更なる実施形態では、ブロックばね要素は板ばねであることが定められる。板ばねは、有利には、アジャスター装置内で場所を取らないようにブロック要素に一体化することができる。代替的な実施形態では、ブロックばね要素は、脚ばね、引張ばね、又は圧縮ばねである。詳細には、ブロックばね要素が中心軸に対して垂直に延びる方向に、好ましくは半径方向に中心軸から離れるように又は半径方向に中心軸に向かって移動可能であるか、或いは、復帰力がこのような半径方向に作用することも考えられる。ここで、ブロックばね要素は実質的に中心軸と歯付き構造体との間に延在する領域に配置されることも考えられる。
【００１６】
本発明の有利な改良及び発展は、従属請求項及び明細書から図面を参照して推測することができる。
【００１７】
本発明の更なる詳細、特徴及び利点は、図面から及び図面を参照する好ましい実施形態の以下の説明から明らかになる。ここで、図面は、単に本発明の例示的な実施形態を示しているにすぎず、本質的な発明概念を制限するものではない。
【図面の簡単な説明】
【００１８】
【図１】本発明の第１の例示的な実施形態に係るアジャスター装置１の図を示す。
【図２】中心軸に対して平行且つ図１の線Ａ−Ａに対して平行に延びる面に沿った第１概略断面図を示す。
【図３】ブロック状態にある本発明の例示的な第１実施形態に係るアジャスター装置のブロック領域の第２概略断面図を示す。
【図４】ブロック状態にある本発明の例示的な第１実施形態に係るアジャスター装置のブロック領域の第３概略断面図を示す。
【図５】ブロック状態から非ブロック状態への移行の第１段階の間の本発明の例示的な第１実施形態に係るアジャスター装置のブロック領域の第４概略断面図を示す。
【図６】ブロック状態から非ブロック状態への移行の第２段階の間の本発明の例示的な第１実施形態に係るアジャスター装置のブロック領域の第５概略断面図を示す。
【図７】係合解除動作の経路がブロックばね要素のために解放されているブロック状態から非ブロック状態への移行の第３段階の間の本発明の例示的な第１実施形態に係るアジャスター装置のブロック領域の第６概略断面図を示す。
【図８】係合解除動作が終了した後の本発明の例示的な第１実施形態に係るアジャスター装置のブロック領域の第７概略断面図を示す。
【図９】アダプタープレートの配置が非作動状態のアライメント位置に対応する、係合解除動作が終了した後の本発明の例示的な第１実施形態に係るアジャスター装置のブロック領域の第８概略断面図を示す。
【図１０】アダプタープレートが非作動状態のアライメント位置に対応する、係合解除動作が終了した後の本発明の例示的な第１実施形態に係るアジャスター装置のブロック領域の第９概略断面図を示す。
【図１１】本発明の第２の例示的な実施形態に係るアジャスター装置の図を示す。
【図１２】中心軸に対して平行且つ図１１の線Ｂ−Ｂに対して平行に延びる面に沿った第１０概略断面図を示す。
【図１３】本発明の第２の例示的な実施形態に係るアジャスター装置を分解図で示す。
【図１４】アダプタープレートが第１アライメント位置にある状態の第２の例示的な実施形態に係るアジャスター装置を示す。
【図１５】アダプタープレートが第２アライメント位置にある状態の第２の例示的な実施形態に係るアジャスター装置を示す。
【図１６】アダプタープレートが第２アライメント位置にある状態の第２の例示的な実施形態に係るアジャスター装置１のブロック領域の第１１概略的断面図を示す。
【図１７】アダプタープレートが第３アライメント位置にある状態の第２の例示的な実施形態に係るアジャスター装置を示す。
【図１８】アダプタープレートが第３アライメント位置にある状態の第２の例示的な実施形態に係るアジャスター装置１のブロック領域の第１２概略断面図を示す。
【図１９】本発明の第３実施形態に係るアジャスター装置をブロック領域の拡大図と共に示す。
【図２０】本発明の第３実施形態に係るアジャスター装置をいずれも個別の構成要素として示されるブロック要素、歯付き構造体及びアダプタープレートウェブと共に示す。
【図２１】本発明の第３実施形態に係るアジャスター装置を、非作動状態のアダプタープレートが取る位置にアダプタープレートがある状態で、２つの視点からのブロック領域の２つの拡大図と共に示す。
【図２２】アダプタープレートが第１アライメント位置にある状態の本発明の第３実施形態に係るアジャスター装置をブロック領域の拡大図と共に示す。
【図２３】アダプタープレートが第２アライメント位置にある状態の本発明の第３実施形態に係るアジャスター装置をブロック領域の拡大図と共に示す。
【図２４】アダプタープレートが第３アライメント位置にある状態の本発明の第３実施形態に係るアジャスター装置をブロック領域の拡大図と共に示す。
【図２５】係合解除動作が終了した後、非作動状態のアダプタープレートが取る位置へのアダプタープレートの復帰の間の第３実施形態に係るアジャスター装置を示す。
【図２６】係合解除動作が終了した後で且つ非作動状態のアダプタープレートが取る位置にアダプタープレートが戻った後の第３実施形態に係るアジャスター装置をブロック領域の拡大図と共に示す。
【発明を実施するための形態】
【００１９】
様々な図において、同一部分は、常に同一符号が付されているので、概ねいずれも一度だけ名前を挙げ又は言及するものとする。
【００２０】
図１は、自動車部品（図示せず）用の本発明の第１の例示的な実施形態に係るアジャスター装置１の概略図を示す。ここで、アジャスター装置１は、通常、締結装置５によって自動車部品に固定される。アジャスター装置１は、一般的に、固定要素２０と調節可能要素１０とを有し、調節可能要素１０は固定要素２０に対して中心軸２の周りに回転可能に取り付けられている。結果として、固定要素２０と調節可能要素１０との相対位置を変化させることができる。アジャスター装置１の内部に、アジャスター装置１は第１ロック装置（図示せず）を有し、第１ロック装置は調節可能要素１０が固定要素２０に対して所望の位置に、特に所望の回転位置にロックされることを確実にする。固定要素２０は、通常、アジャスター装置１のハウジングの少なくとも一部を形成する。第１ロック装置は、好ましくは摩擦ブレーキである。外れ防止のために、アジャスター装置１は、本発明によれば、第１ロック装置に加えて第２ロック装置を有する。第２ロック装置は、アダプタープレート１１と、ブロック要素２１とを含む。ここで、第２ロック装置は、ブロック状態では、調節可能要素が固定要素２０に対して外れるのを防ぎ、非ブロック状態では、調節可能要素２０が固定要素２０に対して調節されることを可能にすることが定められる。アダプタープレート１１は、中心軸２の周りに回転可能に取り付けられ、ブロック状態では１次位置を、非ブロック状態では１次位置とは異なる２次位置を取る。また、アダプタープレート１１は、固定要素２０の又はハウジングの縁の上に突出するタブ４を備え、タブ４は、固定要素２０を囲む渦巻ばね２５と動作接続させることができる。渦巻ばね２５は、アダプタープレート１１をその１次位置から回転させたときに、アダプタープレート１１に復元力が作用することを可能にする。別のタイプのばね又は他の弾性的に変形可能な構造要素、例えばゴムバンドが、アダプタープレートに復元力をかけ且つ（対向する外的な力の作用なしで）アダプタープレートを非作動状態のアダプタープレート１１が取る位置に戻らせることも考えられる。また、図１に示した形態では、アダプタープレート１１は、アダプタープレートウェブ１２を含む。アダプタープレートウェブ１２は、アダプタープレートの本体の全体的な範囲に対してブリッジ状の隆起として設計され、結果として、アダプタープレートウェブ１２とアダプタープレートの本体との間に隙間３０が形成されている。アダプタープレートの本体がアダプタープレートウェブの下に空の場所を有するか、或いはアダプタープレート１１の本体自体が既に一種のアダプタープレートウェブを形成するように、アダプタープレート１１の本体がアーチ状に曲げられ又は穴が開けられることも考えられる。また、アダプタープレート１１はブロックボルト１６を有し、ブロックボルト１６は、実質的に中心軸に対して垂直に延びる平面内に延び、隙間３０の上に配置されている。ブロックボルト１６は、好ましくはアダプタープレートウェブ１２に配置される。また、調節可能要素１０はアダプタープレート１１によって駆動可能であることが定められる。図１に示す実施形態では、調節可能要素１０は、個々の歯が中心軸２の周りに対称的に配置された歯付き構造体１３を有する。アダプタープレート１１と歯付き構造体１３を備えた調節可能要素１０は、ブロック要素２１と共に、第２ロック装置の主要な構成要素を形成する。ブロック要素２１は、前記ブロック要素が実質的に中心軸２の周りに回転不能に取り付けられるように、固定要素に配置され、すなわち、実質的に中心軸２の周りで回転不能である。しかしながら、ブロック要素２１は少なくとも部分的に変形可能であり且つ／又は中心軸２に対して平行に延びる方向に傾動可能であることが定められる。図１において、ブロック要素２１は、中心軸２の周りのブロック要素２１の回転が実質的に抑制されるように、ハウジング又は固定要素２０の凹部２６に更なるタブ２７によって接続されている。しかしながら、ロック要素２１を別の方法でハウジング又は固定要素２０に回転不能に接続することも考えられる。図示の実施形態では、ブロック要素２１はブロック要素基板を更に含み、ブロック要素基板の主要延在面はブロック状態では中心軸２に対して実質的に垂直に延びる。また、ブロック要素はブロックばね要素２２を含み、ブロックばね要素２２は第１ばね端部と第２ばね端部とを有する。ブロックばね要素２２は、ここでは第１ばね端部でブロック要素基板に固定接続され、中心軸２に対して垂直に延びる方向に張力をかけ又は偏向させることができる。ブロックばね要素２２はアダプタープレート１１に配置することも考えられる。図示の実施形態では、ブロックばね要素２２は板ばねである。ブロックばね要素２２は、張力をかけないか又は弛緩させた場合には、歯付き構造体１３を越えてアダプタープレートウェブ１２の下の隙間３０の下まで延びている。詳細には、第２ばね端部は、ブロック状態ではブロックボルト１６の下に配置されている。また、ブロック要素基礎面は突起２４を有し、ブロック状態では、前記突起２４は、歯付き構造体の２つの歯とブロックばね要素の一部との間に配置されている。結果として、歯付き構造体の一部、ブロックばねの一部及び突起は、中心軸に対して平行且つ線Ａ−Ａに対して平行に延びる平面に位置する。図１の点線内の領域は、以下でブロック領域と称される。
【００２１】
図２は、中心軸２に対して平行且つ図１の線Ａ−Ａに対して平行に延びる平面に沿った概略図を示す。頂点から下方に向かって、ブロックばね要素２２の一部、歯付き構造体１３を備えた調節可能要素１０の一部及び突起２４が前記面に配置されている。ブロック要素基板がアーチ形部分を有し、アーチ形部分の下に歯付き構造体が配置されることを図面から推測することができる。詳細には、アーチ形部分は、中心軸の周りの回転の間、歯付き構造体がトンネル内のようなアーチ形部分の下で移動可能であるように構成されている。歯付き構造体１３の歯は傾斜面を有することが定められる。傾斜面は、調節可能要素と従って歯付き構造体１３が中心軸２の周りで回転する際のブロック要素基板の突起用の傾斜路を形成するように傾斜している。言い換えれば、（アダプタープレート１１なしで）図示される図２において、調節可能要素の回転は歯付き構造体の回転につながる。歯付き構造体の回転の間、歯付き構造体の傾斜面は、傾斜可能な又は変形可能なブロック要素基板からの係合解除動作が行われるように、ブロック要素２１の突起を押圧する。係合解除動作は、ここでは中心軸２に対して実質的に平行に延びる方向に行われる。
【００２２】
図３及び図４は、第２ロック装置がブロック状態にあるときの本発明の例示的な実施形態に係るアジャスター装置のブロック領域の２つの概略断面図を示す。調節可能要素１の歯付き構造体１３、ブロックばね要素２２及びブロック要素基板に加えて、アダプタープレートと特に共に隙間３０を形成するアダプタープレートウェブも図示されている。アダプタープレート１１の図示の１次位置では、ブロックボルトは、中心軸に対して平行に延びる方向においてブロックばね要素と、従って突起とも、形状嵌めによって相互作用する。結果として、突起は、外れ動作において傾斜路のおかげで係合解除動作を実行することができない。代わりに、突起は、隣接する歯の１つと中心軸２に対して垂直に延びる方向において形状嵌めによって相互作用し、それによって、調節可能要素が固定要素に対して外れるのを防止する。
【００２３】
図５、６及び７は、ブロック状態から非ブロック状態への移行の間の本発明の例示的な実施形態に係るアジャスター装置１のブロック領域の３つの概略断面図を示す。アダプタープレートはブロック状態から非ブロック状態への移行のために回転させられることが定められる。ここで、アダプタープレートの作動は、ハンドル又はレバーによって直接的に、或いはケーブルプルなどによって間接的に行われると考えられる。また、アダプタープレートは、追加のアイドリング距離なしでそれと共に調節可能部分を、従って歯付き構造体をも、後者が回転するように動かすことが定められる。なお、第１歯が突起に接触する様子は図５で見ることができる。同時に、アダプタープレートと従ってアダプタープレートウェブ、特にブロックボルトは、具体的には、ブロックボルトとブロックばね要素が中心軸に対して平行に延びる方向においてもはや形状嵌めによって相互作用することができないようにそれと共に移動させられる。言い換えれば、２次位置において、アダプタープレートは、ブロックばね要素２２の中心軸に対して平行に延びる方向への移動のための経路を解放し、すなわち、アダプタープレートは係合解除動作を可能にする。係合解除動作は、突起と相互作用する傾斜路による歯付き構造体の運動によって引き起こされる。結果として、突起と従ってブロックばね要素とが、係合解除動作の中で上向きに押圧される。図６は、ブロックボルトが係合解除動作を可能にし、係合解除動作が約半分行われた時点でのトルク吸収を示し、一方、図７は、しばらく経って係合解除動作の時間的な終わりでのトルク吸収を示す。係合解除動作が終了したとき、第２ロック装置は非ブロック状態にあり、ブロック要素基板の突起は調節可能部品の歯付き構造体の歯と形状嵌めによって相互作用することができない。結果として、非ブロック状態では、調節可能要素１０は、固定要素２０に対して調節又は回転されることが防止されない。
【００２４】
図８、９及び１０は、係合解除動作が終了した後の本発明の例示的な実施形態に係るアジャスター装置１のブロック領域の３つの概略断面図を示す。図８は、非ブロック状態で、ブロック要素基板の突起が歯付き構造体の歯の上に配置されていることを示す。突起とブロックばね要素を持ち上げることにより、ブロックボルトとブロックばね要素はその後、１平面内に配置される。渦巻ばねによって駆動され、アダプタープレートは１次位置の場所に戻る。結果として、ブロックボルトがブロックばねを横に押す。ブロックボルトはアダプタープレートを介して渦巻ばねによってプレテンションされているので、復帰したブロックボルトはブロックばね要素を共通平面内で固定する。固定はまた、ブロック要素基板の突起を歯付き構造体の歯の上に留まらせる。結果として、調節可能要素は、有利には、歯付き構造体の回転の間は常に突起が歯の間に再び滑り落ちること及びそれによって少なくとも調節可能要素の回転運動をより困難にすること（前記回転運動を妨げない場合でも）なしで、その歯付き構造体と共に更に回転させることができる。
【００２５】
図１１、１２及び１３は、自動車部品（図示せず）用の本発明の第２の例示的な実施形態に係るアジャスター装置の概略図を示しており、図１１はアジャスター装置１の上面図を示し、図１２は中心軸２に対して平行且つ図１１のＢ−Ｂ線に対して平行に延びるアジャスター装置１の平面に沿った第１０概略断面図を示し、図１３はアジャスター装置を分解図で示す。第２の例示的な実施形態では、アダプタープレート１１とアダプタープレートウェブ１２は中心軸２の周りに回転可能に取り付けられた２つの別個の構成要素であることが定められる。詳細には、前記第２の例示的な実施形態では、アダプタープレート１１は駆動体４１を有し、駆動体４１は中心軸２に対して実質的に平行に延びる方向にあるアダプタープレート１１上の突起により形成されることが定められる。アダプタープレート１１とアダプタープレートウェブ１２の構成によって予め定められた回転角の周りでのアダプタープレート１１の回転の間、駆動体はアダプタープレートウェブ１２を運び去る。図１２及び１３は、前記第２の例示的な実施形態におけるアダプタープレートウェブ１２が実質的にブロック要素又は調節可能要素１０とアダプタープレートとの間に配置されることを示しており、アダプタープレート１１は、回転運動によってのみアダプタープレートウェブと形状嵌めによって相互作用することができ、結果として、回転させることができる。アダプタープレートウェブはブロックボルト１６を更に有し、ブロックボルト１６は中心軸２に平行な方向においてブロックばね要素２２の上に配置されるように構成されている。また、調節可能要素１０は歯付き構造体１３を有し、同様に中心軸２の周りに回転可能に取り付けられることが定められる。歯付き構造体１３は、好ましくは、第１ロック装置、例えば摩擦ブレーキの回転運動によって同時に回転させられる。詳細には、アダプタープレート１１の回転運動は、調節可能要素の歯付き構造体１３の回転をもたらすことが定められる。
【００２６】
図１４は、アダプタープレートが第１アライメント位置にある状態の第２の例示的な実施形態に係るアジャスター装置を示す。アダプタープレート１１は、例えば、アジャスター装置１が非作動状態の場合に、すなわちブロック状態で、前記第１アライメント位置を取る。前記ブロック状態では、ブロック要素の係合解除動作はブロックボルトによって防止され、回転要素の歯付き構造体は移動しない。詳細には、アダプタープレートは、その第１アライメント位置において、例えば非作動状態のアダプタープレート配置と比べて５°だけ、特に容易に回転させられていると考えられる。前記位置は、従って、アジャスター装置の作動の開始直後に、アダプタープレート１１が取ることができる。非作動状態のアダプタープレート配置は、アジャスター装置１が非作動状態のときにアダプタープレート１１が取るアダプタープレート配置を意味するものと理解される。
【００２７】
図１５及び１６は、アダプタープレート１１が第２アライメント位置にある状態の第２の例示的な実施形態に係るアジャスター装置１を示す。アジャスター装置１を作動させたときに時間的に第１アライメント位置の後に取られる第２アライメント位置では、調節可能要素の歯付き構造体１３は既に運び去られ、すなわち調節可能要素の歯付き構造体１３は回転する。調節可能要素１３の歯付き構造体の回転によって、係合解除動作の方向にブロックばね要素２２に力が作用する。しかしながら、ブロック要素２１の係合解除動作は、不動のアダプタープレートウェブ１２のブロックボルト１６によって防止される。言い換えれば、調節可能要素１０が既に移動した場合でも、アジャスター装置１はまだ非ブロック状態ではない。ブロックボルト１６によるブロックは、図１５に拡大して示されている。詳細には、アダプタープレート１１は、その第２アライメント位置において、非作動状態のアダプタープレート配置と比べて７°だけ回転させられていると考えられる。
【００２８】
図１７及び１８は、アダプタープレート１１が第３アライメント位置にある状態の第２の例示的な実施形態に係るアジャスター装置１を示す。アジャスター装置１を作動させたときに時間的に第２アライメント位置の後に取られる第３アライメント位置では、アダプタープレート１１は、ブロックボルト１６が移動させられ且つ係合解除動作の経路がブロック要素２１のために解放されるように、アダプタープレートウェブ１２と形状嵌めによって相互作用する。既に予め遅れずに始まっている調節可能部品１０の、特に調節可能要素の歯付き構造体１３の回転運動は、アダプタープレート１１の第３アライメント位置が取られたときにも継続されているので、ブロック要素２１は、アダプタープレート１１の第３アライメント位置が取られたときに係合解除動作を実行することができる。図１８は、本発明の第２の例示的な実施形態に係るアジャスター装置１のブロック領域の拡大図において、これを明確にする。詳細には、アダプタープレート１１は、その第３アライメント位置において、非作動状態のアダプタープレート配置と比べて１０°だけ回転させられていると考えられる。
【００２９】
図１９は、第３実施形態に係るアジャスター装置１を示す。本実施形態では、ブロックばね要素２２は、アダプタープレートウェブ１２に配置され、ブロックボルト１６はブロック要素２１に配置されている。ここで、アダプタープレートウェブ１２は、アダプタープレート１１に、それと共に回転するために配置されることが定められる。ブロック領域は、破線の円内に拡大して示されている。
【００３０】
図２０は、第３実施形態に係るアジャスター装置１を、対応するアダプタープレートウェブ１２、歯付き構造体１３及びブロック要素２１の構成と共に示す。対応するブロック要素２１は、ブロックボルト１６と突起２４とを有する。また、ブロック要素２１は、取り付けられたアジャスター装置１において、突起２４を歯付き構造体１３の２つの歯の間に配置することができるように構成されている。加えて、図示の実施形態の場合、ブロックボルトは少なくとも部分的にアダプタープレートウェブ１２の下に延びることが定められる。本実施形態では、アダプタープレートウェブ１２はブロックばね要素２２を含み、ブロックばね要素２２は実質的にアダプタープレートウェブ１２の下に延びる。しかしながら、ブロックばね要素２２はアダプタープレートウェブ１２に固定配置され、前記ブロックばね要素の一部は中心軸２に対して平行に延びる方向においてアダプタープレートウェブ１２に覆われないことも考えられる。ブロックばね要素２２は、好ましくは、一体的に接合されて、摩擦によって、及び／又は形状嵌めによって、アダプタープレートウェブ１２に配置される。図示の実施形態では、ブロックばね要素２２は中心軸２に対して垂直に延びる方向に弾性変形可能である。
【００３１】
図２１は、アダプタープレート１１が作動されておらず、第２ロック装置のブロック位置が取られている場合の、第３実施形態に係るアジャスター装置１を、ブロック領域の拡大図と共に特に線Ｃ−Ｃに沿って示す。本実施形態では、非作動状態のアダプタープレート位置で、ブロックばね要素２２は、ブロック位置が取られているとき中心軸２に対して平行に延びる方向においてブロック要素２１のブロックボルト１６の上に配置される。ここで、ブロック位置では、ブロックばね要素２２とブロックボルト１６は、中心軸２に対して平行な方向において形状嵌めによって相互作用することが定められる。ブロックばね要素２２とブロックボルト１６の配置は、ブロック領域の２つの拡大図の下の方に詳細に示されている。中心軸２に対して垂直な面内においてアジャスター装置１のどの場所で形状嵌め接続が行われるかは、ここでは重要ではない。例えば、ブロック位置では、ブロックボルト１６は、形状嵌め位置でブロックばね要素２２と形状嵌めによって相互作用することができ、形状嵌め位置は、中心軸２に対して平行に延びる方向においてアダプタープレートウェブ１２の下に配置される。しかしながら、ブロックボルト１６及びブロックばね要素２２は、形状嵌め位置がアダプタープレートウェブ１２と中心軸２との間に配置されるように構成されることも考えられる。ブロックボルト１６とブロック要素２１の突起２４は、第３実施形態では互いに堅固に接続されるので、ブロックボルト１６とブロックばね要素２２の形状嵌め相互作用は、ブロックばね要素２２が中心軸に対して平行に延びる方向において旋回可能であるか又は部分的に解放可能であることを防ぐ。結果として、ブロック位置では、ブロック要素２１の突起２４は、歯付き構造体１３と突起２４が中心軸２に対して垂直に延びる方向において形状嵌めによって相互作用するように、歯付き構造体１３の２つの歯の間に配置されたままであり、それにより、調節可能要素１０が固定要素２０に対して外れるのを防ぐ。突起２４と歯付き構造体１３の配置は、ブロック領域の２つの拡大図の上の方に詳細に示されている。
【００３２】
図２２は、アダプタープレート１１が第１アライメント位置にある状態の第３実施形態に係るアジャスター装置１を示す。アダプタープレート１１は、例えば前記アダプタープレートの作動の開始時に、前記第１アライメント位置を取る。この状態では、アジャスター装置１は、ロストモーションであり、すなわち、調節可能要素１０は、アダプタープレート１１の回転運動にもかかわらず、固定要素２０に対して移動しない。詳細には、アダプタープレート１１は、その第１アライメント位置において、非作動状態のアダプタープレート配置と比べて回転方向４５に５°だけ回転させられていると考えられる。
【００３３】
図２３は、アダプタープレート１１が第２アライメント位置にある状態の第３実施形態に係るアジャスター装置１を示す。アジャスター装置１を作動させたときに時間的に第１アライメント位置の後に取られる第２アライメント位置では、調節可能部品１０、特に歯付き構造体１３が回転し始める。しかしながら、拡大図に詳細に示されるように、ブロック要素２１の係合解除動作は、ブロック要素２１上のブロックブロック１６とアダプタープレートウェブ１２上のブロックばね要素２２との形状嵌め相互作用によって防止される。言い換えれば、調節可能要素１０が既に移動した場合でも、アジャスター装置１はまだ非ブロック状態ではない。詳細には、アダプタープレート１１は、その第２アライメント位置において、非作動状態のアダプタープレート配置と比べて７°だけ回転させられていると考えられる。
【００３４】
図２４は、アダプタープレート１１が第３アライメント位置にある状態の第３実施形態に係るアジャスター装置１を示す。アジャスター装置１を作動させたときに時間的に第２アライメント位置の後に取られる第３アライメント位置では、係合解除動作のための経路はブロック要素２１上のブロックボルト１６のために解放され、調節可能要素１０の回転運動は係合解除動作をもたらす。図２４は、本発明の第３実施形態に係るアジャスター装置１のブロック領域の拡大図を参照してこれを詳細に明らかにする。詳細には、アダプタープレート１１は、その第３アライメント位置において、非作動状態のアダプタープレート配置と比べて１０°だけ回転させられていると考えられる。
【００３５】
図２５は、係合解除動作が終了した後、非ブロック位置でアダプタープレート１１が反転移動４４に従うときの第３実施形態に係るアジャスター装置１を示す。このような反転移動４４は、例えば渦巻ばね２５によりもたらすことができ、渦巻ばね２５の復元力は、アダプタープレート１１を、アジャスター装置１が非作動状態のときにアダプタープレートが取る位置へと移動させる。アジャスター装置１の図示の状態では、アジャスター装置１は非ブロック位置にある。詳細には、この状態では、ブロックばね要素２２とブロックボルト１６は、中心軸２に対して垂直に延びる共通の平面に少なくとも部分的に配置されることが定められる。
【００３６】
図２６は、係合解除動作が終了した後の、非ブロック位置での、更に反転移動４４が終了し且つアダプタープレート１１が非作動状態のアダプタープレートが取る位置を取ったときの第３実施形態に係るアジャスター装置１を示す。非ブロック位置で、アダプタープレート１１が非作動状態のアダプタープレートの位置にある場合、ブロックばね要素２２は、ブロック要素２１が係合動作を始めることが防止されるようにブロックボルト１６と摩擦により相互作用する。拡大図に示すように、ここで、ブロックばね要素２２は中心軸２に対して垂直な方向に弾性的に変形し、ブロックばね要素２２の復元力はブロックボルト１６とブロックばね要素２２の摩擦相互作用を補助すると考えられる。
【符号の説明】
【００３７】
１  アジャスター装置
２  中心軸
４  タブ
５  締結装置
１０  調節可能要素
１１  アダプタープレート
１２  アダプタープレートウェブ
１３  調節可能要素の歯付き構造体
１６  ブロックボルト
２０  固定要素
２１  ブロック要素
２２  ブロックばね要素
２３  ブロック要素基板
２４  突起
２５  渦巻ばね
２６  凹部
２７  更なるタブ
３０  隙間
４０  ブロック領域
４１  駆動体
４４  反転移動
４５  回転方向
【図１】
2016530459.tif 000003
【図２】
2016530459.tif 000004
【図３】
2016530459.tif 000005
【図４】
2016530459.tif 000006
【図５】
2016530459.tif 000007
【図６】
2016530459.tif 000008
【図７】
2016530459.tif 000009
【図８】
2016530459.tif 000010
【図９】
2016530459.tif 000011
【図１０】
2016530459.tif 000012
【図１１】
2016530459.tif 000013
【図１２】
2016530459.tif 000014
【図１３】
2016530459.tif 000015
【図１４】
2016530459.tif 000016
【図１５】
2016530459.tif 000017
【図１６】
2016530459.tif 000018
【図１７】
2016530459.tif 000019
【図１８】
2016530459.tif 000020
【図１９】
2016530459.tif 000021
【図２０】
2016530459.tif 000022
【図２１】
2016530459.tif 000023
【図２２】
2016530459.tif 000024
【図２３】
2016530459.tif 000025
【図２４】
2016530459.tif 000026
【図２５】
2016530459.tif 000027
【図２６】
2016530459.tif 000028
【国際調査報告】
2016530459.tif 000029
2016530459.tif 000030
2016530459.tif 000031
2016530459.tif 000032